(57)【要約】本発明に係る電気エネルギーを蓄積するための装置は、少なくとも１個のガルバニ電池を有している。また、本発明に係る装置は、少なくとも１個の内部空間を備え、上記少なくとも１個のガルバニ電池を少なくとも部分的に受容するために設けられている少なくとも１個の電池保持手段を有している。また、本発明に係る装置は、上記電池保持手段の上記内部空間を少なくとも部分的に取り囲み、上記少なくとも１個のガルバニ電池と少なくとも部分的に作用的に結合している少なくとも１個の第１の壁要素を有している。また、本発明に係る装置は、上記少なくとも１個の第１の壁要素と作用的に結合している少なくとも１個の伝熱手段を有している。また、本発明に係る装置は、上記伝熱手段に付設され、第１の流体を貫流させるために設けられている少なくとも１本の流体通路を有している。本発明に係る装置は、膨張するように設けられた少なくとも１個の位置補正手段を有し、少なくともこの位置補正手段が少なくとも部分的に上記電池保持手段の内部に配置されていることを特徴としている。
2013506969.tif 000002
【特許請求の範囲】
【請求項１】
少なくとも１個のガルバニ電池（１）と、
少なくとも１個の内部空間（４７）を備え、前記少なくとも１個のガルバニ電池（１）を少なくとも部分的に受容するために設けられている電池保持手段（４）と、
前記電池保持手段（４）の前記内部空間（４７）を少なくとも部分的に取り囲み、前記少なくとも１個のガルバニ電池（１）と少なくとも部分的に作用的に結合している第１の壁要素（９）と、
前記少なくとも１個の第１の壁要素（９）と作用的に結合している伝熱手段（３）と、
前記伝熱手段（３）に付設され、第１の流体（４８）を貫流させるために設けられている流体通路（８）と
を備えた電気エネルギーを蓄積するための装置において、
前記装置が、膨張するように構成された少なくとも１個の位置補正手段（２）を有し、少なくともこの位置補正手段（２）が少なくとも部分的に前記電池保持手段（４）の内部に配置されていることを特徴とする装置。
【請求項２】
前記少なくとも１個のガルバニ電池が少なくとも１個のセパレータを有し、このセパレータが好ましくは物質透過性の担持体から成り、好ましくは部分的に物質透過性があり、すなわち少なくとも１個の材料に関しては実質的に透過性があり、少なくとも１個の他の材料に関しては実質的に非透過性であり、
前記担持体が少なくとも１つの面が無機材料で被覆され、
物質透過性担持体として、好ましくは有機材料が使用され、この有機材料が好ましくは不織布として構成され、
前記有機材料が好ましくはポリマー、特に好ましくはポリエチレンテレフタラート（ＰＥＴ）を有し、
前記有機材料がイオン伝導性無機材料で被覆され、このイオン伝導性無機材料が好ましくは−４０℃〜２００℃の温度範囲でイオン伝導性があり、
前記イオン伝導性無機材料が、好ましくは、Ｚｒ、Ａｌ、Ｌｉのうちの少なくとも１つの元素の、酸化物、リン酸塩、硫酸塩、チタン酸塩、ケイ酸塩、アルミノケイ酸塩からなるグループの少なくとも１つの化合物であり、特に酸化ジルコニウムであり、
前記イオン伝導性無機材料が好ましくは１００ｎｍ未満の最大径をもつ粒子を有していることを特徴とする、請求項１に記載の装置。
【請求項３】
１個のガルバニ電池と、１個の電池保持手段と、１個の位置補正手段と、１個の伝熱手段の各縦軸線が実質的に平行に延びていることを特徴とする、上記請求項の少なくとも１項に記載の装置。
【請求項４】
少なくとも１個の第１の成形部材を有し、この第１の成形部材が前記電池保持手段の少なくとも前記第１の壁要素と圧力嵌合で結合させるために設けられ、前記第１の成形部材が少なくとも前記電池保持手段に対して実質的に垂直に配置されていることを特徴とする、上記請求項の少なくとも１項に記載の装置。
【請求項５】
少なくとも１個の中空室を有し、この中空室が流体通路として構成されていることを特徴とする、上記請求項の少なくとも１項に記載の装置。
【請求項６】
少なくともある領域において、少なくとも前記流体通路に高湿潤手段が付設されていることを特徴とする、上記請求項の少なくとも１項に記載の装置。
【請求項７】
少なくとも１個の搬送装置が付設され、この搬送装置が少なくとも１つの流体を搬送するために設けられ、この搬送装置は制御可能であることを特徴とする、上記請求項の少なくとも１項に記載の装置。
【請求項８】
少なくとも前記第１の壁要素が、少なくとも部分的に、少なくとも前記電池ケースよりも高い熱線吸収率を有していることを特徴とする、上記請求項の少なくとも１項に記載の装置。
【請求項９】
少なくとも１個の測定手段を有し、この測定手段が少なくとも１つの測定値を、特に前記ガルバニ電池の所定位置における温度を検出するために設けられていることを特徴とする、上記請求項の少なくとも１項に記載の装置。
【請求項１０】
少なくとも１個の制御手段を有し、この制御手段が少なくとも１個の第１の測定手段の信号を検出するために、及び／又は、前記少なくとも１個の伝熱手段を制御するために設けられていることを特徴とする、上記請求項の少なくとも１項に記載の装置。
【請求項１１】
少なくとも１個の第２の測定手段を有し、この第２の測定手段が前記ガルバニ電池内の電流の電流強さ又は前記ガルバニ電池からの電流の電流強さを検出して、この電流強さを前記制御装置に送るのに適しており、
及び／又は、
記憶装置を有し、この記憶装置は前記制御手段に付設され、前記記憶装置が少なくともデータ及び／又は演算規則を記憶するために適している、
ことを特徴とする、上記請求項の少なくとも１項に記載の装置。
【請求項１２】
上記請求項の少なくとも１項に記載の装置を作動させる方法において、
前記第１の測定手段が少なくとも一時的に１個のガルバニ電池の所定部位での温度を検出し、及び／又は、前記第２の測定手段が１個のガルバニ電池内の電流の強さ又は１個のガルバニ電池からの電流の強さを検出し、
前記制御手段が検出した前記温度と、これに対し予め設定された温度との温度差を特定し、
前記制御装置が、測定した前記温度、検出した前記温度差及び／又は検出した電流強さに基づいて、伝熱手段及び／又は流体用搬送手段をオンオフする
ことを特徴とする方法。
【請求項１３】
少なくとも１個のガルバニ電池（１）及び／又は少なくとも１個の位置補正手段（２）を装備した、請求項１〜１１の少なくとも１項に記載の装置のための電池保持手段（４）を、ストランドプロファイル（１０）を使用して以下のステップで製造する方法；
（ａ）前記ストランドプロファイル（１０）を所定の長さの部片に分割するステップと、
（ｂ）前記ガルバニ電池（１）と前記位置補正手段（２）とを配置するステップと、
（ｃ）これらの配置を前記電池保持手段（４）に押し込むステップ。
【発明の詳細な説明】
【技術分野】
【０００１】
本発明は、一般的にはエネルギー蓄積ユニットに関するものである。自動車の駆動部に給電を行うための再充電可能なリチウム・イオンバッテリーとの関連で本発明を説明する。しかし、本発明はガルバニ電池の構成、その化学的態様に関係なく、また給電される駆動部の種類にも関係なく適用できる。
【背景技術】
【０００２】
自動車の駆動部に給電を行うために複数個のガルバニ電池を備えた再充電可能なバッテリーが、従来技術により知られている。この種のバッテリーの作動中に、ガルバニ電池内に非可逆性の化学反応も発生する。この反応がガルバニ電池の充電容量を次第に低減させることもある。
【発明の概要】
【発明が解決しようとする課題】
【０００３】
本発明の課題は、充電サイクル数を増加させてもバッテリーのガルバニ電池の充電容量を維持することである。
【課題を解決するための手段】
【０００４】
この課題は、本発明によれば、独立請求項の対象によって解決される。本発明の他の有利な構成は、従属項の対象である。
【０００５】
本発明による電気エネルギー蓄積装置は、少なくとも１個のガルバニ電池を有している。本発明に係る装置は、さらに、少なくとも１個の内部空間を備えた少なくとも１個の電池保持手段／電池保持器を有し、この電池保持器は少なくとも１個のガルバニ電池を少なくとも部分的に受容するために設けられている。本発明に係る装置は、さらに、少なくとも１個の第１の壁要素を有し、この第１の壁要素は、電池保持器の内部空間を少なくとも部分的に取り囲み、且つ少なくとも１個のガルバニ電池と少なくとも部分的に作用的に結合している。本発明に係る装置は、さらに、少なくとも１個の伝熱手段を有し、この伝熱手段は少なくとも１個の第１の壁要素と作用的に結合している。本発明に係る装置は、さらに、少なくとも１本の流体通路を有し、この流体通路は伝熱手段に連結されて、第１の流体を貫流させるために設けられている。本発明に係る装置は、膨張するように構成された少なくとも１個の位置補正手段を有し、少なくともこの位置補正手段は少なくとも部分的に電池保持器の内部に配置されていることを特徴としている。
【０００６】
本発明でいうガルバニ電池とは、化学エネルギーの蓄積及び電気エネルギーの放出にも用いられる機構である。ガルバニ電池は、充電の際に電気エネルギーを化学エネルギーに変換して蓄積するように構成することもできる。これは二次電池又はアキュムレータとして知られている。本発明でいう伝熱手段とは、ガルバニ電池と比較してより高い伝熱性をも有する装置である。特に伝熱手段は、作用的に結合しているガルバニ電池に熱エネルギーを供給する。これは特に周囲温度が低い場合に望ましく、ガルバニ電池が事前にエージングするのを防止して、その効率を向上させる。また、伝熱手段は作用的に結合しているガルバニ電池から熱エネルギーを放出させ、これによってガルバニ電池の損傷が特に防止されて、その寿命が長くなる。特に高い充電電流及び／又は放電電流を伴う充電サイクル中及び／又は放電サイクル中にガルバニ電池が加熱され、その際にガルバニ電池の温度が高くなりすぎるとその寿命が短くなり、及び／又は、ガルバニ電池が破損する。
【０００７】
本発明でいう流体とは、任意の小さな剪断応力に対して実質的に抵抗しない物質である。その意味では気体と液体が流体である。
【０００８】
本発明でいう流体通路とは、この流体通路が閉じた空間として構成されている限りにおいては、少なくとも第１の流体を受容して誘導し、又は少なくともこの第１の流体を保持することができる装置である。この流体通路は、好ましくは、第２の流体をも受容して誘導又は保持するために設けられている。好ましくは、流体通路は少なくとも第１の流体のために、少なくとも１個の入口領域と少なくとも１個の出口領域とを有し、この少なくとも第１の流体は、好ましくは通路を少なくとも上記入口領域から少なくとも上記出口領域へと貫流する。好ましくは、少なくとも第１の流体は、流体通路の内部空間、及び／又は流体通路壁、及び／又は流体通路と作用的に結合している少なくとも１個の装置よりも低いか高い温度を有している。少なくとも第１の流体は、支配的な温度に依存して加熱又は冷却され、これによって熱エネルギーが、流体通路の内部空間、及び／又は流体通路壁、及び／又は流体通路と作用的に結合している少なくとも１個の装置から排出され、又はこれに供給される。
【０００９】
本発明でいう電池保持手段／電池保持器とは、内部空間と、この内部空間を少なくとも部分的に取り囲んでいる少なくとも１個の第１の壁要素とを有する装置である。壁要素は上記内部空間を完全に取り囲むように設けられてはいない。内部空間は、少なくとも１個のガルバニ電池を少なくとも部分的に受容するように構成されている。好ましくは、内部空間は、少なくとも１個のガルバニ電池に加えて、特に測定器、制御装置、少なくとも１個の位置補正手段のような他の機構を受容するように構成されている。少なくとも１個の受容されるガルバニ電池と少なくとも受容される他の機構とは、好ましくは、この電池保持手段によって圧力嵌合手段により、及び／又は熱を誘導するように取り囲まれている。好ましくは、少なくとも１個のガルバニ電池は、添設される電池ケースの少なくとも１個の第１の外面が少なくとも部分的に、少なくとも第１の壁要素と固体間面接触を形成するように、電池保持器によって取り囲まれている。この配置の場合、ガルバニ電池から放出されるべき熱エネルギーが、更なる固体間接触なしに、ダイレクトに電池保持器の上記外面に誘導されるのが有利である。電池保持器の少なくとも第１の壁要素は、高伝熱性の金属材料から成るのが好ましく、特に好ましくはアルミニウムから成っている。
【００１０】
本発明でいう位置補正手段とは、好ましくは温度に基づいて、及び／又はこの位置補正手段に作用する周囲圧力に基づいて、優先方向に膨張するように設けられている装置であり、その力は第１の壁要素の方向において、少なくともガルバニ電池にも作用する。位置補正手段は、特に、少なくとも１個の電池保持器内部で、圧力嵌合により、少なくとも１個のガルバニ電池と作用的に結合するように設けられる。
【００１１】
少なくともこの位置補正手段に作用する力の種類及び／又は大きさは、実質的にその温度及びこの位置補正手段に作用する周囲圧力に依存しているのが好ましい。好ましくは、少なくともこの位置補正手段に作用する力の種類及び／又は大きさは、その幾何学的形態及び／又は製造する材料によって予め設定することができる。好ましくは、一定の周囲圧力に対して温度に依存して位置補正手段に作用する力は、少なくとも間欠的に、少なくとも１つの数学的関数によって表される。
【００１２】
特にガルバニ電池の熱的負荷が高い場合には、熱エネルギー流の遮断又は妨害により、ガルバニ電池内部及び／又は電池保持器内部に熱のよどみが生じ、これによってこのガルバニ電池の作動温度が上昇する。特にこのガルバニ電池の作動温度が高ければ、寿命が短くなり、よって可能な充電サイクル数及び放電サイクル数も減少する。熱的負荷が非常に高ければ、リチウム・イオンアキュムレータ内でセパレータの溶融が生じ、リチウム・イオンアキュムレータを破壊する。さらに、特にリチウムと電解液との寄生反応によってリチウム・イオンアキュムレータの容量が経時的に減少する。その崩壊速度は温度が上昇するとともに増大する。
【００１３】
好ましくは、充電サイクル時の少なくとも１個のガルバニ電池の容積増大は、少なくとも添設されている位置補正手段が対応的に容積減少することによって補正され、少なくとも１個のガルバニ電池及び／又は少なくとも電池保持手段の変形及び／又は破壊が阻止される。好ましくは、位置補正手段は少なくとも第１の壁要素に対する少なくとも１個のガルバニ電池の押圧力を調整し、好ましくは一定の値に調整する。
【００１４】
充電サイクル時及び／又は放電サイクル時に回避できない、組み込まれたガルバニ電池の容積変化は、この位置補正手段によって少なくとも部分的に補正される。少なくとも１個のガルバニ電池と第１の壁要素との間の熱接触は、位置補正手段によって改善され、及び／又は保証される。好ましくは、放電サイクル時の少なくとも１個のガルバニ電池の容積減少は、少なくとも添設される位置補正手段が対応的に容積増大することで補正され、少なくとも１個のガルバニ電池と少なくとも第１の壁要素との間の熱伝導性固体接触は、このケースでも得られる。特に、少なくとも第１の壁要素に対するガルバニ電池の押圧力が小さすぎると、少なくとも１個のガルバニ電池と少なくとも第１の壁要素との間での熱エネルギー流が遮断又は妨害される。好ましくは、位置補正手段は少なくとも第１の壁要素に対する少なくとも１個のガルバニ電池の押圧力を調整し、好ましくは一定値になるように調整する。このようにして上記課題が解決される。
【００１５】
次に、本発明の他の有利な構成について説明する。
【００１６】
本発明によれば、好ましくは、セパレータを使用する。セパレータは物質透過性の担持体から成り、部分的に物質透過性があること、すなわち少なくとも１個の材料に関しては実質的に透過性があり、少なくとも１個の他の材料に関しては実質的に非透過性であるのが好ましい。担持体は少なくとも１つの面が無機材料で被覆されている。物質透過性の担持体として、好ましくは有機材料を使用する。有機材料は好ましくは不織布として構成されている。有機材料、好ましくはポリマー、特に好ましくはポリエチレンテレフタラート（ＰＥＴ）が、イオン伝導性無機材料で被覆され、このイオン伝導性無機材料は、好ましくは−４０℃ないし２００℃の温度範囲でイオン伝導性を有する。イオン伝導性無機材料は、好ましくは、Ｚｒ、Ａｌ、Ｌｉのうちの少なくとも１つの元素を含む、リン酸塩、硫酸塩、チタン酸塩、ケイ酸塩、アルミノケイ酸塩からなるグループから選択された少なくとも１つの化合物であり、特に好ましくは酸化ジルコニウムである。イオン伝導性無機材料は、好ましくは１００ｎｍ未満の最大径をもつ粒子を有している。このようなセパレータは、たとえばドイツのEvonik AG社から、商品名"Separion"で販売されている。
【００１７】
本発明でいう物体の縦軸線とは、物体の最大拡がりの方向に延在し、実質的に対称軸線に相当しているような軸線である。好ましくは、１個のガルバニ電池と１個の電池保持手段と１個の位置補正手段と１個の伝熱手段の縦軸線は、実質的に平行に延びている。実質的に板状の構成部材のこのような配置は、本発明に係る装置の高いパッケージ密度を可能にする。この配置では、隣接しあっている構成部材は面接触し、その接触点の数が増大するに従って、形成される固体接触部の熱伝導性が改善される。
【００１８】
特に好ましくは、複数個の電池保持器及び伝熱手段が本発明に係る装置の内部に配置され、少なくとも１個の電池保持器が少なくとも１個のガルバニ電池と少なくとも１個の位置補正手段とを取り囲んでいる。好ましくは、内部に電池保持器と伝熱手段とが実質的に交互に配置されている配置構成とする。従って、好ましくは、各電池保持器に少なくとも１個の伝熱手段が添設され、この伝熱手段は、少なくともこれに添設されている電池保持器と作用的に結合している。好ましくは、複数個の電池保持器及び伝熱手段から成っている本発明に係る装置は、電圧及び／又は充電量を増大させるために、並列接続及び／又は直列接続の多数のガルバニ電池を有している。また、好ましくは、所定の作動電圧を得るため、たとえばそれぞれ４個のガルバニ電池がグループとして直列に接続される。このようなグループが、好ましくはいくつか並列に接続され、より大きな充電量が蓄積される。
【００１９】
本発明に係る装置は、好ましくは、少なくとも１個の第１の成形部材を有し、この第１の成形部材は電池保持器の少なくとも第１の壁要素と作用的に結合させるために設けられ、及び／又は、接着させるために設けられている。好ましくは、少なくとも第１の成形部材は、少なくとも電池保持器に対して実質的に垂直に配置されている。好ましくは、第１の成形部材は、複数個の電池保持器の複数個の壁要素と作用的に結合するように構成されている。少なくとも第１の成形部材は、好ましくは、添設されている少なくとも１個の伝熱手段を少なくとも部分的に取り囲むように構成されている。好ましくは、少なくとも第１の成形部材は、プラスチックすなわち合成樹脂により製造され、この場合この第１の成形部材は好ましくは非導電性である。
【００２０】
特に好ましくは、本発明に係る装置は、少なくとも１個の第２の成形部材を有し、少なくともこの第２の成形部材は、第１の成形部材に対して実質的に対向するように配置され、且つ第２の成形部材は電池保持器の少なくとも第１の壁要素と作用的に結合するように設けられ、及び／又は、接着するように設けられている。この第２の成形部材は、好ましくは少なくとも１個の開口部を有し、この開口部は少なくとも１個のガルバニ電池の少なくとも１個の電流導体を貫通させるために設けられている。好ましくは、少なくともこの第２の成形部材は、少なくとも電池保持器に対して実質的に垂直に配置されている。好ましくは、第２の成形部材は複数個の電池保持器の複数個の壁要素と実質的に作用的に結合するように構成されている。少なくとも第１の成形部材は、好ましくは、添設されている少なくとも１個の伝熱器を少なくとも部分的に取り囲むように構成されている。少なくとも第２の成形部材は、好ましくはプラスチック又は合成樹脂から製造され、ここでこの第２の成形部材は好ましくは非導電性である。
【００２１】
本発明に係る装置は、好ましくは少なくとも１個の中空室を有し、この中空室は少なくとも１個の伝熱手段を受容するために設けられている。好ましくは、この中空室は、添設されている電池保持器の少なくとも１個の第１の壁要素によって、相対向する２つの側に、少なくとも部分的に画成されている。さらに、この中空室は、好ましくは少なくとも第１の成形部材又は第２の成形部材によって、相対向する２つの側に、少なくとも部分的に画成されている。この中空室は、好ましくは他の２つの側で開口しており、この場合添設されている電池保持器の少なくとも２個の隣接しあっている壁要素の間に第１の流体通路が生じ、この第１の流体通路は、本発明に係る装置を第１の側からこの第１の側に対向している第２の側へと貫通している。
【００２２】
この中空室は、好ましくは熱伝導にも適しており、伝熱手段の１つの有利な構成を表わしている。この伝熱手段は、好ましくは少なくとも１つの第１の流体を貫流させる。この第１の流体は、好ましくは、伝熱手段を貫流する間に、その温度とこの伝熱手段内部又は第１の流体通路内部で支配的な温度によって、熱エネルギーを吸収し又は放出する。
【００２３】
本発明でいう搬送手段／装置とは、少なくとも１つの流体を搬送するためにも設けられている装置である。好ましくは、少なくとも１つの流体は、好ましくは搬送装置に付設された少なくとも１個の容器から、好ましくはこの搬送装置に付設された少なくとも１個の流体ポンプを使用して、好ましくは搬送装置に付設された少なくとも１個のパイプを介して、搬送装置に付設された少なくとも１個の弁を用いて、好ましくは少なくとも１本の流体通路内へと導入され、及び／又は、少なくともこの流体通路から放出される。好ましくは、搬送装置には少なくとも１個の熱交換器が付設され、この熱交換器は少なくとも搬送装置によって搬送される流体を温度調整するために設けられている。好ましくは、搬送装置は少なくとも制御器と信号接続しており、この場合、制御器は少なくとも搬送装置の少なくとも２つの作動状態を設定するために設けられている。
【００２４】
本発明に係る装置には、好ましくは少なくとも１個の第１の搬送装置を添設し、この搬送装置は少なくとも第１の流体通路の内部で第１の流体を搬送する。搬送装置は、流体を貯留容器又はパイプシステムから取り出し、又は、制御器の作用を受ける弁を介して、流体をパイプシステムからダイレクトに少なくとも第１の流体通路に供給することができる。
【００２５】
特に高冷却性能が必要な場合には、好ましくは、少なくとも上記伝熱器に少なくとも１個の第２の搬送手段／搬送装置が接続される。この第２の搬送装置は、少なくとも第２の流体を、好ましくは圧縮不能な第２の流体を、少なくとも第１の流体通路内部で搬送するために設けられている。この搬送装置は流体を貯留容器又はパイプシステムから引き出すこともでき、また、制御装置の作用を受ける弁を介して、流体をパイプシステムからダイレクトに、少なくとも第１の流体通路に供給することもできる。第１の伝熱器内部での支配的な温度及び上記第２の流体の化学的組成によって、流体は位相変化を受け、好ましくは液状から気体状へ、又は、その逆へと変化する。好ましくは、この流体の位相移行温度の１つは、本発明に係る装置に設定された作動最高温度未満である。
【００２６】
好ましくは、上記第１の流体通路は、少なくとも部分的に、毛細管現象を生じる不織布を有し、この不織布は少なくとも第１の壁要素を少なくとも第２の流体で少なくとも部分的に湿潤させるために設けられている。
【００２７】
好ましくは、伝熱手段に分配器が添設され、この分配器は、少なくとも第２の流体を少なくとも第１の流体通路内へ導入させて、この流体を少なくとも毛細管現象を生じる不織布に、少なくとも部分的に分配するために設けられている。
【００２８】
好ましくは、上記分配器には、少なくとも第１の流体に渦を発生させるための少なくとも１個の機構が添設されている。この場合、少なくとも第１の流体の渦は、第２の流体が特に液状から気体状へと位相変化するのを促進する。
【００２９】
好ましくは、本発明に係る装置には第３の搬送手段／搬送装置が添設され、この搬送装置は、少なくとも第１の流体通路内部で少なくとも第１の多相流体を搬送するために設けられている。特にこの多相流体の流体液状成分が第１の流体通路内で気化することにより、流体通路内部で支配的な温度が低下する。この搬送装置は流体を貯留容器又は供給システムから取り出し、又は、制御装置に制御される弁を介して流体を供給システムからダイレクトに、少なくとも第１の流体通路に供給する。
【００３０】
本発明に係る装置を構成する際、好ましくは、少なくとも第１の伝熱手段は、少なくとも部分的に好ましくは伝熱性の金属で充填される。好ましくは、少なくとも伝熱手段のこの金属コアは、少なくとも１本の第２の流体通路を有し、好ましくはこの第２の流体通路に圧縮不能な第３の流体を貫流させる。より好ましくは、複数個の第２の流体通路がこの金属コアに連結され、又は、金属コアの内部に形成される。好ましくは、少なくとも１個の第２の流体通路は、円形又は長方形の横断面を有している。好ましくは、通路は蛇行して又は好ましくは直線状に金属コアを貫通し、好ましくはこの金属コアの縦軸線の方向に貫通している。好ましくは、少なくとも２本の第２の流体通路を少なくとも１個の連通要素と結合させて、１本の連続した流体通路を形成させる。好ましくは、本発明に係る装置に第４の搬送装置が添設され、この第４の搬送装置は少なくとも第３の流体を少なくとも第３の流体通路内部で搬送するために設けられる。
【００３１】
好ましくは、複数個の電池保持器と金属コアを備えた複数個の伝熱手段とが、同じ材料から一体に形成されている。好ましくは、この一体に形成されたアッセンブリはストランドプロファイルであり、好ましくはアルミニウムストランドプロファイルである。とりわけ、この一体構成の利点は、特に電池保持器の少なくとも第１の壁要素と、これに添設され、金属コアを備えた伝熱手段との間での固体間接触が回避されることであり、これにより本発明に係る装置の内部での熱エネルギー流が改善される。
【００３２】
好ましくは、少なくとも１個の第１の壁要素は、少なくとも部分的に少なくとも１個の好ましくは金属製のフィンを有し、このフィンは特に電池保持器の第１の壁要素の外面の表面積を増大させるために設けられている。拡大された表面は熱伝導を改善し、特に少なくとも１個の第１の壁要素の外面での熱線の吸収又は放出を改善する。
【００３３】
本発明でいう電流導体とは、蓄積されている化学エネルギーを電気エネルギーの形態で制御して取り出すのを可能にするためにも設けられている格子材である。また、電流導体は電流をガルバニ電池内へと導入することも行い、その場合、電気エネルギーはガルバニ電池内部で化学エネルギーへ変換され、蓄積される。この電流導体は好ましくは金属製であり、高導電性を有している。電流導体は、ガルバニ電池の内部に配置されている第１の領域と第２の領域とを有し、第２の領域はガルバニ電池の外部に配置するように設けられている。
【００３４】
好ましくは、上記第２の領域は熱交換器によって、特に冷却体又は対流に接続している熱伝導体によって冷却又は加熱される。特に好ましくは、この冷却体又は電流導体の第２の領域のまわりを、少なくとも部分的に、少なくとも１つの第４の流体が流動する。この第４の流体と電流導体及び／又は冷却体との間の温度差によって、ガルバニ電池に熱エネルギーが供給され、又は、ガルバニ電池から熱エネルギーが取り出される。好ましくは、冷却体も、銅、ニッケル、クロム、アルミニウム及び銀を含む金属のグループに属する材料からなる。
【００３５】
好ましくは、本発明に係る装置は第３の流体通路を有し、この第３の流体通路は、少なくとも第４の流体を、少なくとも部分的に、少なくとも１個の電流導体又はこれに作用的に結合されている少なくとも１個の冷却体を介して誘導するために設けられている。好ましくは、本発明に係る装置には第５の搬送装置が添設され、この第５の搬送装置は、少なくとも上記第４の流体を少なくとも第５の流体通路内部で搬送するために設けられている。
【００３６】
好ましくは、少なくとも第１の壁要素は、少なくとも部分的に、少なくともガルバニ電池よりも高い熱線吸収率を有している。特に、ガルバニ電池から放出される電磁線は、より高い吸収率をもつ壁要素によって好ましくは吸収され、これによってガルバニ電池内部及び／又は電池保持器内部での熱のよどみが実質的に回避される。
【００３７】
好ましくは、寿命が延びたエネルギー蓄積ユニットは、少なくとも１個の第１の測定手段／測定器を有し、この第１の測定器は、測定値を検出するために、特にガルバニ電池の所定位置での温度を検出するために設けられている。このエネルギー蓄積ユニットはさらに制御手段／装置を有し、この制御装置は少なくとも１個の第１の測定器の信号を検出するために、及び／又は、少なくとも１個の伝熱器を制御するために設けられている。
【００３８】
本発明でいう第１の測定手段／測定器とは、測定値を検出するために、特にガルバニ電池の所定位置での温度を検出するために設けられている装置である。好ましくは、１個のガルバニ電池の種々の位置で温度及び／又は圧力を検出するための複数個の測定手段も、測定器と接続されている。この測定器は、測定手段の信号を常時受信するために適している。現実的な配慮から、及び、データ量を減少させるため、検出は時折行われるのが好ましい。これは関与する熱容量と熱伝達係数にも依存している。第１の測定器は、同様に設けられている制御手段／装置に少なくとも１つの信号を送る。好ましくは、この制御装置は作動条件に応じて第１の測定器による温度検出を起動する。
【００３９】
本発明でいう制御装置とは、少なくとも１個の第１の測定手段／測定器を少なくとも制御して、その信号を評価するために設けられた機器である。これは所定の演算規則をベースにして行われる。演算規則は個々の測定手段の種々の特性曲線を考慮する。また、制御装置は既存の伝熱器を制御するためにも適している。この場合、ガルバニ電池の作動状態に応じて、個々の伝熱器又は複数個の伝熱器を通電させる。本発明に係る装置のこの制御装置の機能は、他の制御装置又はバッテリー管理システムによって代用させることもできる。
【００４０】
好ましくは、本発明に係る装置は、少なくとも１個の第２の測定器をも備えている。これは、付設されるガルバニ電池の充電電流又は放電電流を検出して、上記制御装置に送るのに適している。両測定器の数量はガルバニ電池の数量に相当しているが、より少ない方が好ましい。電流強さの検出は継続して行なうが、好ましくは、上記制御装置の設定に従って作動条件に基づいて行う。
【００４１】
好ましくは、本発明に係る装置は、その制御装置がまず１個のガルバニ電池の所定部位での温度を検出するように操作される。この温度によって、制御装置は伝熱手段をオン又はオフにする。好ましくは、制御装置は少なくとも１個の流体用搬送装置をオン又はオフにする。これにより、電気エネルギー蓄積装置が事前にエージングするのが防止され、その寿命が長くなる。
【００４２】
好ましくは、制御装置は記憶装置に接続されている。記憶装置は検出したデータ、評価した測定値及び／又は演算規則を記憶するために用いる。測定値又は評価測定値とともに、測定時点の代用となる他の値も記憶される。好ましくは、たとえば１個の電池の温度のような、測定したパラメータに対する設定値又は目標値がこの記憶装置に記憶されている。
【００４３】
特に好ましくは、本装置は、制御装置と、付設される記憶装置と、少なくとも１個の第１の測定器とを有している。この制御装置は、測定値又は上記第１の測定器の信号と所定の値との差を形成するのに適している。この温度差によって、制御装置は伝熱器をオン又はオフにする。好ましくは、制御装置は流体用搬送装置をオン又はオフにする。従って、電気エネルギー蓄積装置が事前にエージングするのが防止され、その寿命が長くなる。
【００４４】
特に好ましくは、本装置は、制御装置と、付設される記憶装置と、少なくとも１個の第１の測定器と、少なくとも１個の第２の測定器とを有している。この制御装置は、測定値又は第１の測定器の信号と所定の値との差を形成するのに適している。さらに制御装置は、記憶されている演算規則を使用して第１の測定器の測定値を第２の測定器の信号と関連付けるのに適している。測定した電流強さ及び検出した温度又は温度差との関連を用いて、制御装置は、好ましくは記憶されている演算規則を使用して、電池温度の将来の時間的経過を予測する。１個のガルバニ電池の将来の温度変化が予測されると、制御装置は好ましくは伝熱器及び／又は流体用の搬送装置をオン又はオフにする。たとえば、自動車の加速段階における放電電流が大きければ、制御装置は電池温度が著しく上昇する前に、流体用の搬送装置及び／又は伝熱器をオンにする。
【００４５】
本発明によるエネルギー蓄積ユニットは、好ましくは、複数個の当該エネルギー蓄積装置が、好ましくは機械的に及び／又は磁気的に、結合可能であるように構成されている。この場合、特に少なくとも２個のエネルギー蓄積装置の少なくとも２本の流体通路を結合させて１本の連続した通路を形成することも可能である。
【００４６】
本発明の他の利点、特徴、構成は、図面と関連させた以下の説明により理解される。
【図面の簡単な説明】
【００４７】
【図１ａ】本発明に係る装置のアルミニウムストランドプロファイルの横断面図である。
【図１ｂ】本発明に係る装置のアルミニウムストランドプロファイルの側面図である。
【図２ａ】本発明に係る装置のアルミニウムストランドプロファイルの横断面図である。
【図２ｂ】本発明に係る装置のアルミニウムストランドプロファイルの側面図である。
【図３ａ】本発明に係る装置のアルミニウムストランドプロファイルの横断面図である。
【図３ｂ】本発明に係る装置の好ましい一実施形態の側面図である。
【図４】外面に冷却フィンを備えたアルミニウムストランドプロファイルの横断面図である。
【図５】空冷部を備えた本発明に係る装置の縦断面図である。
【図６】液冷部を備えた本発明に係る装置の縦断面図である。
【図７ａ】気体状流体が貫流する流体通路用の連通要素を示す図である。
【図７ｂ】液状流体が貫流する流体通路用の連通要素を示す図である。
【図８】内部空冷部を備えた本発明に係る装置の縦断面図である。
【図９】分配器と毛細管現象を生じる不織布とを有している、本発明に係る装置の第１の伝熱手段の縦断面図である。
【図１０】本発明に係る装置の一実施形態の側面図である。
【図１１】プロファイルフレームで受容されるガルバニ電池の平面図である。
【図１２】蓋と第２の成形部材を取り除いた本発明に係る装置の平面図である。
【図１３】制御装置と測定器との本発明による配置構成を示す図である。
【発明を実施するための形態】
【００４８】
図１ａは、アルミニウムストランドプロファイル１０の横断面図である。図示は縮尺どおりではない。図示したストランドプロファイル１０は８個の第１の領域を有し、これらの第１の領域は電池保持器４として構成されており、それぞれ２個のガルバニ電池１を保持するようになされている。
【００４９】
図１ｂは、アルミニウムストランドプロファイル１０の側面図である。図示は縮尺どおりではない。図示したストランドプロファイル１０は８個の第１の領域を有し、これらの第１の領域は電池保持器４として構成されており、それぞれ２個のガルバニ電池１を保持するようになされている。２個の電池保持器４の領域境界部は破線で示されている。図示したストランドプロファイル１０には、相対向している２つの側に蓋要素２５と底部要素２６とが付設されている。
【００５０】
図２ａは、本発明に係る装置の有利な実施形態を横断面図で示したものである。図示は縮尺どおりではない。図示した電池保持器４はそれぞれ１個の第１の壁要素９を有し、この第１の壁要素は角管として構成されている。電池保持器４はこの電池保持器４を等間隔で位置決めさせている第１の成形部材６と接着されている。図示した実施形態では、２個の電池保持器４の間にそれぞれ１個の伝熱手段３が配置されている。これらの伝熱手段はそれぞれ第１の流体通路８を１本のみ有しており、この第１の流体通路は本発明に係る装置を、第１の側からこの第１の側に対向している第２の側へと貫通している。
【００５１】
図２ｂは、本発明に係る装置の有利な実施形態の側面図である。図示は縮尺どおりではない。図示した電池保持器４は、それぞれ１個の第１の壁要素９を有し、この第１の壁要素は角管として構成されている。電池保持器４は、この電池保持器４を等間隔で位置決めさせている第１の成形部材６及び第２の成形部材７と接着されている。底部要素２６は第１の成形部材６と螺合し、蓋要素２５は第２の成形部材７と螺合している。図示した実施形態では、２個の電池保持器４の間にそれぞれ１個の伝熱手段３が配置されている。これらの伝熱手段３はそれぞれ第１の流体通路８を１本のみ有しており、この第１の流体通路は本発明に係る装置を、第１の側からこの第１の側に対向している第２の側へと貫通している。
【００５２】
図３ａは、本発明に係る寿命が延びたエネルギー蓄積ユニット用のアルミニウムストランドプロファイル１０を示している。図示は縮尺どおりではない。図示したアルミニウムストランドプロファイル１０の実施形態は８個の第１の部分を有し、これらの第１の部分は電池保持器４として構成されている。２個の第１の部分の間にはそれぞれアルミニウムストランドプロファイルの第２の部分５が１個配置されている。これらの第２の部分５は完全に金属から形成されており、２つの側に凹部２７を有している。
【００５３】
図３ｂは、本発明に係る装置の好ましい実施形態の側面図である。図示は縮尺どおりではない。図示した電池保持器４はそれぞれ１個の第１の壁要素９を有し、この第１の壁要素は角管として構成されている。２個の電池保持器４の間にはそれぞれ金属コアを備えた１個の伝熱手段３が配置されている。伝熱手段は、それぞれ円形の横断面を有する５本の第２の流体通路１４を有し、これらの第２の流体通路は、本発明に係る装置を第１の側からこの第１の側に対向している第２の側へと貫通している。電池保持器４は第１の成形部材６及び第２の成形部材７と接着されている。底部要素２６は第１の成形部材６と螺合し、蓋要素２５は第２の成形部材７と螺合している。
【００５４】
図４は、アルミニウムストランドプロファイル１０の横断面図である。図示は縮尺どおりではない。図示したストランドプロファイル１０は８個の第１の領域を有し、これらの第１の領域は電池保持器４として構成されており、それぞれ２個のガルバニ電池１を保持するようになされている。図示したストランドプロファイル１０はさらに冷却フィン１６を有し、これらの冷却フィンはこのストランドプロファイル１０の表面積を増大させて、電磁放射の吸収及び放出を向上させるように設けられている。アルミニウムストランドプロファイルと冷却フィン１６とは、好ましくは同じ材料から一体に形成されている。
【００５５】
図５は、空冷部を備えた本発明に係る装置の縦断面図である。図示は縮尺どおりではない。図示したエネルギー蓄積ユニットは、それぞれ板状に構成された２個のガルバニ電池１から成る４つのグループを有している。それぞれのガルバニ電池は２個の電流導体１１を有している。ガルバニ電池１の各電流導体１１には、電気絶縁末端要素１３が添設されている。ガルバニ電池１の４つのグループは、充電量を増大させるために並列に接続されている。１つのグループの内部では２個のガルバニ電池１が直列に接続されている。ただし、電気結線は図示していない。また、気密性、非導電性を有する、溶接されたフォイルとして形成される個々の電池ケースも図示していない。
【００５６】
２個のガルバニ電池１は、それぞれ１個の電池保持器４に受容されている。図示した実施形態では、それぞれの電池保持器４は第１の壁要素９を１個のみ有し、この第１の壁要素９の横断面は長方形である。壁要素９は高伝熱性金属により薄壁状に形成され、ガルバニ電池１を取り囲んで空気の封入を防止している。またガルバニ電池は、１個のガルバニ電池１と壁要素９との間で高熱流の流動が可能であるように、壁要素９によって取り囲まれている。第１の壁要素９は、それぞれ第１の側で第１の成形部材６と接着され、この第１の側に対向している第２の側で第２の成形部材７と接着されている。蓋２５は第２の成形部材７と螺合している。螺合による固定は破線で示している。
【００５７】
図示した実施形態では、各電池保持器４は板状に構成された位置補正手段２を有し、位置補正手段２はそれぞれ２個のガルバニ電池１に添設されて、これらガルバニ電池に面接触している。
【００５８】
図示した実施形態では、１個の電池保持器４に少なくとも１個の伝熱手段３が添設されている。この伝熱手段３は第１の流体通路８を有し、この第１の流体通路は、本発明に係る装置を第１の側からこの第１の側に対向している第２の側へ貫通している。この流体通路８は、好ましくは、外気が貫流するように設けられている。作用的に結合しているガルバニ電池１と外気の温度とによって、これらガルバニ電池１に熱エネルギーが供給され、又は、これらガルバニ電池から熱エネルギーが放出される。
【００５９】
本発明に係る装置の図示した実施形態では、流体通路８は２枚の高湿潤性不織布１４を有し、この高湿潤性不織布は、それぞれ部分的に第１の壁要素９と接着され、これら第１の壁要素９の片側を部分的に第２の流体で湿潤させるように設けられている。
【００６０】
図６は、流体冷却部を備えた本発明に係る装置の縦断面図である。図示は縮尺どおりではない。図示したエネルギー蓄積ユニットは、板状に構成されたそれぞれ２個のガルバニ電池１から成る４つのグループを有している。それぞれのガルバニ電池は２個の電流導体１１を有している。ガルバニ電池１の各電流導体１１には、電気絶縁末端要素１３が添設されている。４つのグループは、充電量を増大させるために並列に接続されている。１つのグループの内部では２個のガルバニ電池１が直列に接続されている。但し、電気結線は図示していない。また、気密性で非導電性の、溶接されたフォイルとして形成される個々の電池ケースも図示していない。
【００６１】
２個のガルバニ電池１からなる各グループは、１個の電池保持器４に受容されている。図示した実施形態では、それぞれの電池保持器４は、第１の壁要素９を１個のみ有し、この第１の壁要素９の横断面は長方形である。壁要素９は高伝熱性金属により薄壁状に形成され、ガルバニ電池１を取り囲んで空気の封入を防止している。ガルバニ電池は、１個のガルバニ電池１と壁要素９との間で高熱流の流動が可能であるように、壁要素９によって取り囲まれている。第１の壁要素９はそれぞれ第１の側で第１の成形部材６と接着され、この第１の側に対向している第２の側で第２の成形部材７と接着されている。蓋２５は第２の成形部材７と螺合している。
【００６２】
図示した実施形態では、それぞれの電池保持器４は、板状に構成された位置補正手段２を有し、位置補正手段２はそれぞれ２個のガルバニ電池１に添設されて、これらガルバニ電池と面接触している。
【００６３】
図示した実施形態では、１個の電池保持器４に少なくとも１個の伝熱手段３が添設されている。この伝熱手段３は高伝熱性金属コアを有している。さらに、伝熱手段３はそれぞれ５本の第２の流体通路１４を有している。流体通路１４は円形の横断面を有し、そして連通要素を介して連通して対を成し、１本の連続した流体通路を形成したものとすることができる。流体通路１４には温度調整された第２の流体が貫流し、ここで流体通路１４の幾何学的構成と、第２の流体の物質特性及びその流速とは、流動ができるだけ高いレイノルズ数又はヌッセルト数を有するように選定されている。作用的に結合されているガルバニ電池１とこの第２の流体との温度によって、これらガルバニ電池に熱エネルギーが供給され、又は、これらガルバニ電池から熱エネルギーが放出される。
【００６４】
図示した実施形態では、電池保持器４と伝熱手段３とは一体に作製され、図３ａに対応したアルミニウムストランドプロファイルが使用されている。
【００６５】
図７ａは、気体状流体が貫流可能な流体通路１４用の連通要素１８を示している。この連通要素１８の幾何学的構成は、アルミニウムストランドプロファイルの第２の領域に設けられる凹部（本図には図示していない）の幾何学的構成に適合している。図示した連通要素は、少なくとも２本の流体通路を、少なくとも部分的に連通させるために設けられている。好ましくは、１個のモジュールを形成するように統合された、２個の異なる本発明に係る装置に割り当てられる２本の流体通路を、この連通要素によって連通させる。特に、連通要素はＵ字状に構成されていてよい。Ｕ字状に構成した連通要素は、同じ伝熱手段に割り当てられる２本の流体通路を連通させるために用いる。
【００６６】
図７ｂは、気体状流体が貫流可能な流体通路８用の連通要素１９を示している。この連通要素１９の幾何学的構成は、アルミニウムストランドプロファイルの第２の領域に設けられる凹部（本図には図示していない）の幾何学的構成に適合している。図示した連通要素は少なくとも２本の流体通路を、少なくとも部分的に連通させるために設けられている。好ましくは、１個のモジュールを形成するように統合された、２個の異なる本発明に係る装置に割り当てられる２本の流体通路を、この連通要素によって連通させる。特に、連通要素はＵ字状に構成されていてよい。Ｕ字状に構成した連通要素は、同じ伝熱器に割り当てられる２本の流体通路を連通させるために用いる。
【００６７】
図８は、内部空冷部を備えた本発明に係る装置の縦断面図である。取り付けられたファン２８は本発明に係る装置の内部で流体を、好ましくは外気を流動させる。発生する流体流は、本発明に係る装置の外側の電池保持器４によって誘導され、この外側の電池保持器はガルバニ電池１と位置補正手段２とを有していない。また、流体流は蓋要素２５内に形成された流体通路によって誘導され、その流体は少なくとも電流導体１１又は作用的に結合されている冷却体の周囲を流動する。さらに、流体流は底部要素２６内に形成された流体通路によって誘導される。本発明に係る装置の内部で循環するこの流体流は、少なくとも部分的に温度調整用の熱交換器（図示せず）を貫流させることもできる。電流導体１１又は作用的に結合されている冷却体及び流体の温度によって、熱エネルギーが電流導体１１及び／又は作用的に結合されている冷却体に供給され、又は、これらから放出される。
【００６８】
図９は、本発明に係る装置の伝熱手段用の分配器の側面図であり、この分配器を第１の流体が貫流する。図示した分配器は、第２の流体を導入するための接続部２８と、厚さ１．５ｍｍの支持フレーム２９と、それぞれ４ｍｍの内径を備えた上部パイプ又は下部パイプ３０，３１とを有している。上部パイプ３０は０．５ｍｍ径の孔３３を部分的に有し、これらの孔は、上部パイプ３０内を流動する第２の流体を、毛細管現象を生じる不織布３４へと誘導する。毛細管現象を生じる不織布は、図示していない伝熱手段の第１の流体通路の壁と部分的に接着され、この流体通路壁を部分的に第２の流体で湿潤させる。分配器はさらに２個のウィングレット３２を有し、このウィングレットは支持フレーム２９に取り付けられている。ウィングレット３２の配置は、第１の流体の実質的に層状の流動が渦を巻き、その際に第２の湿潤作用流体の液状から気体状への物質移動が向上するように、選定されている。
【００６９】
図１０は、本発明に係る装置の一実施形態の側面図である。図示した実施形態では、蓋要素２５は本発明に係る装置を接続するためのくり抜き部３５を有している。さらに、底部要素２６は２個のＴ形溝３６を有し、これらのＴ形溝は本発明による複数個の装置を固定するための固定要素を受容する。底部要素２６はさらにスタッド３７用の孔を有し、スタッドはＴ形溝３６によって案内される固定要素を固定する。
【００７０】
図１１ａは、１個のガルバニ電池１の平面図であり、このガルバニ電池は気密な溶接されたフォイルとして構成された電池ケース３９によって取り囲まれ、２体構成のプロファイルフレーム３８で受容されている。２体構成のプロファイルフレーム３８は、Ｕ字状プロファイルを有し、受容されるガルバニ電池１に幾何学的に適合しており、アルミニウム及び／又はプラスチックにより作製されている。図示していないが、ガルバニ電池１をプロファイルフレーム３８に固定するために、たとえばアクリル封止剤のような取付け用接着剤が用いられる。
【００７１】
図１１ｂは、プロファイルフレーム３８で受容されるガルバニ電池１の側面図である。２体構成のプロファイルフレーム３８はＵ字状プロファイルを有し、受容されるガルバニ電池１に幾何学的に適合し、アルミニウム及び／又はプラスチックにより作製されている。図示していないが、ガルバニ電池１をプロファイルフレーム３８に固定するために、たとえばアクリル封止剤のような取り付け用接着剤が用いられる。図示した孔４０，４１，４２，４３，４４，４５，４６は、ガルバニ電池１及び２体構成のプロファイルフレーム３８を接着するための装置内で、これらの部材を位置決めするために用いる。特に、ガルバニ電池１又はプロファイルフレーム３８を上記接着用装置内に固定するために、上記孔の大きさに幾何学的に適合したボルトを使用する。
【００７２】
図１２は、本発明に係る装置をケース及び第２の成形部材なしで示した平面図である。アルミニウムストランドプロファイル１０は、電池保持器として構成された７個の第１の領域を有している。アルミニウムストランドプロファイル１０は、さらに多数の冷却フィン１６を有している。電池保持器にはそれぞれ２個のガルバニ電池１が装備され、これらのガルバニ電池は電池ケースによって取り囲まれてプロファイルフレーム３８に受容されている。さらに、それぞれの電池保持器内には、２個のガルバニ電池１の間に位置決めされている位置補正手段が受容されている。本発明に係る装置の図示した実施形態では、スタッドを用いて固定されている接点要素３８を備えたそれぞれ２個のガルバニ電池が直列に接続されている。図示した実施形態では、合計１４個のガルバニ電池１の直列接続が生じる。
【００７３】
図１３はアキュムレータを温度調整するための制御装置及び測定器の本発明による配置構成を示している。制御装置５１が図示されており、これに記憶装置５２が接続されている。この記憶装置５２内には、演算規則と、検出して評価される測定値と、温度所定値又は目標値とが記憶されている。この記憶装置５２は、さらにアキュムレータの温度制御用設定値を含んでいる。温度制御するためのこれらの設定値を用いて、制御装置５１は所定の方法に従いオンオフすることができる。制御装置５１には、接続されているガルバニ電池の温度を検出するための第１の測定器５７が結合されている。この第１の測定器５０には、種々のサーモエレメントが接続されている切換えスイッチ５３が結合されている。制御装置５１には、さらに、電流を測定するための第２の測定器５７が結合されている。この第２の測定器５７には切換えスイッチ５４が結合され、この切換えスイッチには種々の電流計が接続されている。さらに、制御装置５１には、流体用の一連の搬送装置と、種々のスイッチに接続される制御線とが接続されている。
【００７４】
制御装置及び測定器のこの配置構成では、制御装置５１は作動されるアキュムレータの温度制御を予測して実施することができる。なお、制御装置５１の機能を他の既存の制御装置又は上位のバッテリー管理システムで代用させることもできる。
【図１ａ】
2013506969.tif 000003
【図１ｂ】
2013506969.tif 000004
【図２ａ】
2013506969.tif 000005
【図２ｂ】
2013506969.tif 000006
【図３ａ】
2013506969.tif 000007
【図３ｂ】
2013506969.tif 000008
【図４】
2013506969.tif 000009
【図５】
2013506969.tif 000010
【図６】
2013506969.tif 000011
【図７ａ】
2013506969.tif 000012
【図７ｂ】
2013506969.tif 000013
【図８】
2013506969.tif 000014
【図９】
2013506969.tif 000015
【図１０】
2013506969.tif 000016
【図１１ａ】
2013506969.tif 000017
【図１１ｂ】
2013506969.tif 000018
【図１２】
2013506969.tif 000019
【図１３】
2013506969.tif 000020
【国際調査報告】
2013506969.tif 000021
2013506969.tif 000022
2013506969.tif 000023
2013506969.tif 000024
2013506969.tif 000025
2013506969.tif 000026